(57)【要約】【課題】物品を保持するかまたは物品に結合する第１のマウントと、磁石に引き付けられる材料を含むかまたは材料が磁石を含む第１の強磁性結合要素と、第１の機械的結合要素とを含む、回転が制限された連結システムを提供すること。【解決手段】第１の機械的結合要素は、第１のマウントが別の物品に対して回転するのを９０度単位で制限する少なくとも１つの突出部を含む。第１のマウントは、第１の強磁性結合要素および第１の機械的結合要素に結合されている。【選択図】図１
2020537469.tif 000002
【特許請求の範囲】
【請求項１】
物品を保持するかまたは該物品に結合するように構成された第１のマウントと、
磁石に引き付けられる材料を備えるかまたは該材料が該磁石を備える第１の強磁性結合要素と、
該第１のマウントが別の物品に対して回転するのを９０度単位で制限するように構成された少なくとも１つの突出部を備える第１の機械的結合要素と
を備え、
該第１のマウントが該第１の強磁性結合要素および該第１の機械的結合要素に結合されている、
回転が制限された連結システム。
【請求項２】
前記第１の機械的結合要素が前記第１の強磁性結合要素の一部を備えるか、または前記第１の強磁性結合要素が前記第１の機械的結合要素の近くに位置付けられている、請求項１に記載の連結システム。
【請求項３】
前記第１のマウントまたは前記物品が、前記物品に電磁誘導で電力を送り、または前記物品から電磁誘導で電力を受けるように構成された第１のコイルを備え、前記物品は、前記物品を囲むケースまたは前記物品に電気を蓄積する、請求項１に記載の連結システム。
【請求項４】
前記物品が、電話、カメラ、バッテリ、スピーカ、電気を使用もしくは蓄積する電気的構成要素の少なくとも１つ、光学的構成要素、連結構成要素、容器のうちの１つまたは複数を備える、請求項１に記載の連結システム。
【請求項５】
前記別の物品を保持するかまたは前記別の物品に結合するように構成された第２のマウントと、
前記磁石に引き付けられる前記材料を備えるかまたは前記材料が前記磁石を備える第２の強磁性結合要素と、
前記第１のマウントが該第２のマウントに対して回転するのを前記９０度単位で制限するように構成された少なくとも１つの第２の突出部を備える第２の機械的結合要素と
をさらに備える、請求項１に記載の連結システム。
【請求項６】
前記第１のマウントに向かって、また前記第１のマウントから離れるように折り畳めるように構成された少なくとも１つの第３の機械的結合要素をさらに備え、該少なくとも１つの第３の機械的結合要素が、前記第２のマウント上の、または前記第２のマウントの近くの第４の機械的結合要素に結合するようにさらに構成されている、請求項５に記載の連結システム。
【請求項７】
前記第１のマウントに対して近位な幅狭部分と前記第１のマウントに対して遠位な幅広部分とを備えて構成された少なくとも１つの第３の機械的結合要素をさらに備え、該少なくとも１つの第３の機械的結合要素が、該幅狭部分において第４の機械的結合要素に結合するようにさらに構成されており、該第４の機械的結合要素が、前記第２のマウント上に、または前記第２のマウントの近くに位置付けられている、請求項５に記載の連結システム。
【請求項８】
前記第２のマウントが移動可能な物品に結合するように構成されている、請求項５に記載の連結システム。
【請求項９】
前記第２のマウント、または前記第２のマウントに結合される前記別の物品が、電磁誘導で電力を供給するように構成された第２のコイルを備える、請求項５に記載の連結システム。
【請求項１０】
前記第１のマウントが、バンパー、または少なくとも１つの収納コンパートメントを備えたバンパー、または浮遊装置を備えたバンパー、または力吸収材料を備えたバンパー、または光源を備えたバンパー、またはこれらの任意の組合せをさらに備える、請求項１に記載の連結システム。
【請求項１１】
前記少なくとも１つの収納コンパートメントが、ペンもしくはスタイラス、または電子タバコもしくは薬を保持するように構成されている、請求項１０に記載の連結システム。
【請求項１２】
前記バンパーが、音量、トラック、サムズ・アップ、サムズ・ダウン、ディスプレイ輝度、電源オン、電源オフのうちの１つまたは複数を制御する制御装置をさらに備える、請求項１０に記載の連結システム。
【請求項１３】
前記第１のマウントがマウント用レールを備えない、請求項１に記載の連結システム。
【請求項１４】
前記第１のマウントがガルバニ充電ポートを備える、請求項１に記載の連結システム。
【請求項１５】
前記第１のマウントが、追加のマウントにデイジー・チェーン連結するように構成された第４の機械的結合要素をさらに備える、請求項１に記載の連結システム。
【請求項１６】
前記追加のマウントが、電話、第２のカメラ、第２のバッテリ、第２のスピーカのうちの１つまたは複数を保持するように構成されている、請求項１５に記載の連結システム。
【請求項１７】
物品を保持するかまたは該物品に結合するように構成された第１のマウントと、
磁石に引き付けられる材料を備えるかまたは該材料が該磁石を備える第１の強磁性結合要素と、
該第１のマウントが別の物品に対して回転するのを、０度を超えるかまたは９０度以下の単位で制限するように構成された少なくとも１つの突出部を備える第１の機械的結合要素であって、
該第１のマウントが、該第１の強磁性結合要素および該第１の機械的結合要素に結合されている、第１の機械的結合要素と、
該別の物品を保持するかまたは該別の物品に結合するように構成された第２のマウントと、
該磁石に引き付けられる該材料を備えるかまたは該材料が該磁石を備える第２の強磁性結合要素と、
該第１のマウントが該第２のマウントに対して回転するのを、０度を超えるかまたは９０度以下の該単位で制限するように構成された少なくとも１つの第２の突出部を備える第２の機械的結合要素と、
該第１のマウントに向かって、また該第１のマウントから離れるように折り畳めるように構成された少なくとも１つの第３の機械的結合要素であって、該少なくとも１つの第３の機械的結合要素が、該第２のマウント上の、または該第２のマウントの近くの第４の機械的結合要素に結合するようにさらに構成されている、少なくとも１つの第３の機械的結合要素と
を備える、回転が制限された連結システム。
【請求項１８】
前記第１のマウントに対して近位な幅狭部分と前記第１のマウントに対して遠位な幅広部分とを備えて構成された少なくとも１つの第３の機械的結合要素をさらに備え、該少なくとも１つの第３の機械的結合要素が、該幅狭部分において第４の機械的結合要素に結合するようにさらに構成されており、該第４の機械的結合要素が、前記第２のマウント上に、または前記第２のマウントの近くに位置付けられている、請求項１７に記載の連結システム。
【請求項１９】
前記第１のマウントまたは前記物品が、前記物品に電磁誘導で電力を送り、または前記物品から電磁誘導で電力を受けるように構成された第１のコイルを備え、前記物品は、前記物品を囲むケースまたは前記物品に電気を蓄積し、前記第２のマウント、または前記第２のマウントに結合された前記別の物品が、電磁誘導で電力を供給するように構成された第２のコイルを備える、請求項１７に記載の連結システム。
【請求項２０】
物品を保持するかまたは該物品に結合するように構成された第１のマウントと、
磁石に引き付けられる材料を備えるかまたは該材料が該磁石を備える第１の強磁性結合要素と、
該第１のマウントが別の物品に対して回転するのを、０度を超えるかまたは９０度以下の単位で制限するように構成された少なくとも１つの突出部を備える第１の機械的結合要素であって、
該第１のマウントが、該第１の強磁性結合要素および該第１の機械的結合要素に結合されており、
該第１の機械的結合要素が該第１の強磁性結合要素の一部を備えるか、または該第１の強磁性結合要素が該第１の機械的結合要素の近くに位置付けられている、第１の機械的結合要素と、
該別の物品を保持するかまたは該別の物品に結合するように構成された第２のマウントと、
該磁石に引き付けられる該材料を備えるかまたは該材料が該磁石を備える第２の強磁性結合要素と、
該第１のマウントが該第２のマウントに対して回転するのを、０度を超えるかまたは９０度以下の該単位で制限するように構成された少なくとも１つの第２の突出部を備える第２の機械的結合要素と、
該第１のマウントに向かって、また該第１のマウントから離れるように折り畳めるように構成された少なくとも１つの第３の機械的結合要素であって、該少なくとも１つの第３の機械的結合要素が、該第２のマウント上の、または該第２のマウントの近くの第４の機械的結合要素に結合するようにさらに構成されている、少なくとも１つの第３の機械的結合要素と
を備える、回転が制限された連結システム。
【発明の詳細な説明】
【技術分野】
【０００１】
本発明の１つまたは複数の実施形態は、携帯型装置の一部として使用される連結システムなど、連結システムの分野に関する。限定を目的とするものではないが、より詳細には、本発明の１つまたは複数の実施形態は、ケースを受け具に連結するために使用される、回転が制限された連結システムに関する。
【背景技術】
【０００２】
携帯電話などのアイテムのためのマウントおよびケースが、当技術分野で知られている。たとえば、運転者が自分の電話をハンズ・フリーで使用することを可能にする、携帯電話用のカー・マウントが存在する。ケースおよびマウントについての既存の解決策は、概してその柔軟性が限定されている。たとえば、既存の解決策では、使用者が自分の電話を様々な配向にマウントできない場合がある。また、既存の解決策は、一般に、電話または同様の物品を車、自転車、壁、またはアームバンドなどの任意の他の物品に取り付けることを可能にする汎用的なマウント用解決策を提供するのではなく、車などの特定用途の場合のための個別の解決策を提供する。最後に、既存の解決策では、多くの方向の運動に抵抗する複数の結合要素を備えた頑丈さの優れた連結部が実現されないことが多く、具体的には、単純なマウントは、電話ケースの縁部への衝撃などのせん断力を受けるとしばしば機能しなくなる。特に、既定の回転単位での回転を可能にし、物理的な凹み、磁石、およびクランプを介した結合によってマウントが外れることを防止することが知られているマウントは存在しない。
【発明の概要】
【発明が解決しようとする課題】
【０００３】
少なくとも上述の制約のために、回転が制限された連結システムが求められている。
【課題を解決するための手段】
【０００４】
本明細書に記載の１つまたは複数の実施形態は、回転が制限された連結システムに関する。システムの１つまたは複数の実施形態は、各構成要素が連結されるときに回転または他の運動を制限する方式で、また様々な回転配向で構成要素を連結することを可能にする方式で、ある構成要素を別の構成要素に連結させることができる。第１の構成要素は、たとえば、ケースの後部に連結フィーチャを備えた、携帯電話を保持するケースでもよい。第２の構成要素は、たとえば、電話ケースに結合し、自転車のハンドル、Ｇｏ−Ｐｒｏ（登録商標）システム、または他のアイテムなどの別のアイテムに取り付けられる受け具でもよい。結合は、対をなす突出部と凹み、要素間の磁気引力、および対応するホルダに取り付けられたクランプまたはフックなどの、１つまたは複数の結合機構によって実現することができる。結合要素は、各構成要素を互いに対して保持し、回転およびせん断力に抵抗するように構成され得る。突出部および対応する凹みはたとえばＸ形状でもよく、これにより、電話マウント（または同様のマウント）を９０度単位で回転させ、対応する受け具に様々な配向で取り付けることが可能になる。
【０００５】
１つまたは複数の実施形態は、たとえば携帯電話などの物品を保持し、またはそれに結合するように構成された第１のマウントを含むことができる。１つまたは複数の実施形態は、たとえば自転車ハンドル、またはＧｏ−Ｐｒｏ（登録商標）システムなどのアクション・カメラ・システムなど、別の物品を保持するかまたはそれに結合するように構成された第２のマウントも含むことができる。第１のマウントと第２のマウントは、それらを互いに連結することを可能にする、適合する要素を有することができる。１つまたは複数の実施形態では、第１のマウントと第２のマウントは様々な回転配向で連結され得る。種々の実施形態において、本発明の範囲は、第１のマウントおよび第２のマウントのいずれかまたは両方を含む場合がある。
【０００６】
第１のマウントは、たとえば電話、カメラ、バッテリ、スピーカ、電気を使用または蓄積する電気的構成要素、光学的構成要素、連結構成要素、および容器を保持するかまたはそれに結合するように構成され得る。第２のマウントは、たとえば自転車または車両などの移動可能な物品に結合するように構成され得る。
【０００７】
第１のマウントは、磁石、または磁石に引き付けられる材料を備えた強磁性結合要素を有することができる。第１のマウントは、１つまたは複数の突出部または凹みを備えた機械的結合要素も有することができ、この機械的結合要素は、別の構成要素の対応する適合する要素に機械的に結合するように構成される。機械的結合要素は、第１のマウントが他方の構成要素に対して回転するのを９０度単位で制限するように構成され得る。
【０００８】
１つまたは複数の実施形態では、強磁性結合要素の全部または一部が機械的結合要素に含まれてもよく、機械的結合要素の近くに位置付けられてもよい。
【０００９】
１つまたは複数の実施形態では、第２のマウントは、第１のマウントの対応する強磁性結合要素および機械的結合要素に結合するように構成された強磁性結合要素および機械的結合要素を有することができる。第２のマウントの強磁性結合要素は、磁石、または磁石に引き付けられる材料を有することができる。第２のマウントの機械的結合要素は、第１のマウントが第２のマウントに対して回転するのを９０度単位で制限するように構成され得る。
【００１０】
１つまたは複数の実施形態では、第１のマウントおよび第２のマウントは、追加の機械的結合要素を有することができる。第１のマウントは、たとえば、第１のマウントに向かって、または第１のマウントから離れるように折り畳めるように構成され、また第２のマウントの１つまたは複数の対応する機械的結合要素に取り付けられるように構成された、１つまたは複数の要素を有することができる。
【００１１】
１つまたは複数の実施形態では、第１のマウントの１つまたは複数の追加の機械的結合要素は、第１のマウントに対して近位な幅狭部分と、前記第１のマウントに対して遠位な幅広部分とを有することができる。１つまたは複数の追加の機械的結合要素は、幅狭部分において、第２のマウントの１つまたは複数の対応する要素に結合することができる。
【００１２】
１つまたは複数の実施形態では、第１のマウントはバンパーも含むことができる。バンパーは、力吸収材料、収納コンパートメント、浮遊装置、および光源の任意の組合せを有することができる。収納コンパートメントは、たとえばペン、スタイラス、電子タバコ、または薬を保持するように構成され得る。１つまたは複数の実施形態では、バンパーは、音量、トラック、サムズ・アップ、サムズ・ダウン、ディスプレイ輝度、電源オン、電源オフのうちの１つまたは複数を制御する制御装置も有することができる。
【００１３】
１つまたは複数の実施形態では、第１のマウントは、マウント用レールを有しないように構築され得る。これは、たとえばレールに位置合わせして２つの部分を互いに結合することが困難な、知られている装置の問題点である。
【００１４】
１つまたは複数の実施形態では、第１のマウント、または第１のマウントに収容されるかもしくは取り付けられる物品は、電磁誘導で電力を受け取るかまたは送るように構成されたコイルを有することができる。物品もしくは第１のマウントまたはその両方は電気を蓄積することができ、また外部電源から電力を受け取るか、または第１のマウントの外部に電力を送ることができる。１つまたは複数の実施形態では、第２のマウントは、たとえば第１のマウント、または第１のマウント内の物品に電磁誘導で電力を供給するように構成された第２のコイルを有することができる。１つまたは複数の実施形態では、第１のマウントはガルバニ充電ポートを有することができる。
【００１５】
１つまたは複数の実施形態では、第１のマウントは、追加のマウントにデイジー・チェーン連結するように構成された別の機械的結合要素を有することができる。たとえば、デイジー・チェーン構成は、追加のマウント、第１のマウント、および第２のマウントを連結する直列連結部を有することができ、第１のマウントは、追加のマウントおよび第２のマウントに結合され得る。追加のマウントは、たとえば電話、第２のカメラ、第２のバッテリ、および第２のスピーカのうちの１つまたは複数を保持するように構成されてもよい。
【００１６】
本特許または本出願のファイルは、カラーで作成された少なくとも１つの図面を含む。カラー図面を備えた本特許または本特許出願公開の写しは、請求に応じて、また必要な手数料が支払われた場合に、米国特許商標庁によって提供される。
【００１７】
本発明の上記その他の態様、特徴、および利点は、添付の図面と併せて提示される以下のより具体的なその説明からさらに明らかになろう。
【図面の簡単な説明】
【００１８】
【図１】たとえば自転車のハンドルなどの別の物品上の対合用マウントに取り付けられるように構成された一体化されたマウントを備える携帯電話ケースの例示的な実施形態を示す図であり、フリップ・アウト・コネクタが延出した状態の電話ケースの後部の斜視図である。
【００１９】
【図２】後部から見た図１の携帯電話ケースを示す図である。
【００２０】
【図３】フリップ・アウト・コネクタが格納された状態の図２の携帯電話ケースの背面図である。
【００２１】
【図４】図１の携帯電話ケースの正面図である。
【００２２】
【図５】図１の携帯電話ケースの左側面図である。
【００２３】
【図６】図１の携帯電話ケースの右側面図である。
【００２４】
【図７】図１の携帯電話ケースの上面図である。
【００２５】
【図８】図１の携帯電話ケースの下面図である。
【００２６】
【図９】図１の携帯電話ケースを受け、それに結合する対合用マウントの例示的な一実施形態を示す図であり、図９に示した対合用マウントは、Ｇｏ−Ｐｒｏ（登録商標）アクセサリ、または同様の装置に取り付けられる。
【００２７】
【図１０】図９の対合用マウントの上面図である。
【００２８】
【図１１】図９の対合用マウントの下面図である。
【００２９】
【図１２】図９の対合用マウントの前方側面図である。
【００３０】
【図１３】図９の対合用マウントの右側面図である。
【００３１】
【図１４】右側面図から４５度回転された、図９の対合用マウントの別の側面図である。
【００３２】
【図１５】自転車のハンドルに取り付けられる対合用自転車マウントに結合された図１の電話ケースを示す図である。
【００３３】
【図１６】オートバイのハンドルに取り付けられる対合用マウントに結合された図１の電話ケースを示す図である。
【００３４】
【図１７】携帯電話ケース・マウントに対合する自転車マウントの例示的な一実施形態の、上部から見た斜視図である。
【００３５】
【図１８】図１７の自転車マウントの左側面図である。
【００３６】
【図１９】図１７の自転車マウントの正面図である。
【００３７】
【図２０】図１７の自転車マウントの上面図である。
【００３８】
【図２１】図１７の自転車マウントの下面図である。
【００３９】
【図２２】ハンドル留め具が開いた状態の、図１７の自転車マウントの下面斜視図である。
【００４０】
【図２３】マウントの例示的な一実施形態を備えたアームバンドを示す図である。
【００４１】
【図２４】たとえば携帯電話マウントに一体化されるかまたは取り付けることができるバンパーの例示的な一実施形態を示す図である。
【００４２】
【図２５】携帯電話ケースまたは任意の他の装置に結合されてマウント機能を提供することができる接着剤マウントの例示的な一実施形態を示す図である。
【００４３】
【図２６】図２５の実施形態の側面図である。
【００４４】
【図２７】複数の装置またはマウントを直列に取り付けることを可能にするデイジー・チェーン・システムを示す図であり、この例では、電話ケースが外部バッテリに結合され、この外部バッテリが自転車マウントまたはＧｏ−Ｐｒｏ（登録商標）マウントなどの第２のマウントに結合されている。
【発明を実施するための形態】
【００４５】
次に、回転が制限された連結システムについて説明する。以下の例示的な説明では、本発明の実施形態のより完全な理解を可能にするために、多くの具体的な詳細を述べる。しかし、本発明は、本明細書に記載の具体的な特徴のすべての部分を組み込まずに実施されてもよいことが、当業者には明らかであろう。他の例では、当業者によく知られている特定の機能、量、または測定法は、本発明を不明瞭にしないために、詳細に記載されていない。本明細書には本発明の複数の例が述べられているが、本発明の範囲および境界を定義するものは、特許請求の範囲、および任意の均等物の全範囲であることに、読み手は留意すべきである。
【００４６】
本発明の１つまたは複数の実施形態は、回転が制限された連結システムなどの連結システムを含む。少なくとも１つの実施形態では、システムは携帯電話ケースの一部として使用され得るが、さらに、比較的小型で携帯できる任意の装置を連結するために使用することもできる。１つまたは複数の実施形態として、連結システムにより、ケースが受け具に連結される。同様に、少なくとも１つの実施形態では、システムは、自転車またはオートバイのハンドル、車両のダッシュボードまたは同様のもの、コンピュータのモニタなどの物品またはアイテムに小型の装置を連結するために使用され得る。１つまたは複数の実施形態によれば、システムは、両手が必要とされるときなど、電話または他の装置を保持するのが不便な場合がある任意の場所に小型の装置を連結するために使用することができる。具体的には、少なくとも１つの実施形態では、システムは、携帯電話ケースと車両コンソール／ダッシュボード／ハンドルとの間の、または携帯電話ケースとＧｏ−Ｐｒｏ（登録商標）アクセサリとの連結システムとして利用することができる。
【００４７】
図１〜図８に示すように、少なくとも１つの実施形態として、携帯電話ケースの連結システムはケースの十字またはＸ形状の凹部として形成され、この凹部の側方には、ここでは円弧形状のコネクタとして示されている、ケースにヒンジ連結されたフリップ・アウト・コネクタが位置している。１つまたは複数の実施形態では、コネクタはめくられ、コネクタ受け具の定位置にスナップ、摩擦連結、またはその他の方法で係合もしくは連結させることができ、それによって装置を定位置に保持する。１つまたは複数の実施形態では、こうした受け具も、ケースの十字またはＸ形状の凹部に対合する十字またはＸ形状の突出部を含む。しかし、少なくとも１つの実施形態として、対合する凹部と突出部は任意の形状または構成でもよく、本発明の範囲から外れることなく逆にされてもよいことに留意されたい。１つまたは複数の実施形態では、対合する凹部と突出連結構造体の間にしっかりした連結部が存在する場合があり、したがって、それらはフリップ・アウト・コネクタによって固定されることなく互いに保持される。少なくとも１つの実施形態では、磁石が使用される場合もあり、連結部が突出部の壁と凹部の壁との間の摩擦「圧入」である場合もあり、連結部が、数ある他の選択肢の中でもスナップ・フィットによって作成される場合もある。少なくとも１つの実施形態は磁石連結部を含むことができ、磁石は、対合する凹部／突出部構造体の凹面または突出面のいずれかまたは両方に、またはそれに隣接して位置決めされてもよい。
【００４８】
本発明の１つまたは複数の実施形態による自転車連結受け具が図１５〜図２２に示してある。これらの図では、少なくとも１つの実施形態として、突出部が上部から延在して、ケースと係合する。１つまたは複数の実施形態では、ケースの上方で（図１〜図８のアーチ形状のコネクタなどの）フリップ・アウト・コネクタを受ける領域が各側部に形成される。少なくとも１つの実施形態として、これらのフリップ・アウト・コネクタは張力を使用して連結部を互いに保持することができる。少なくとも１つの実施形態では、ケースは受け具に連結され、この受け具は自転車ハンドルに連結され、それにより、使用者が、たとえばＧＰＳのターン・バイ・ターン道案内のために自転車に乗っている間に電話または他の小型の装置を見るのを可能にすることができる。
【００４９】
図９〜図１４には、本発明の１つまたは複数の実施形態による、標準的なＧｏ−Ｐｒｏ（登録商標）アクセサリに連結またはその他の方法で係合され得る受け具の図が提示してある。少なくとも１つの実施形態では、フランジおよびねじの連結システムをＧｏ−Ｐｒｏ（登録商標）アクセサリに使用することができ、受け具は、ねじ穴アパーチャを画定するフランジの形をとる、このシステムと係合することができる軸部を含む。１つまたは複数の実施形態として、逆の面では、突出部が上部から延在して、ケースと係合する。少なくとも１つの実施形態として、側部には、ケースの上方で（図１〜図８のアーチ形状のコネクタなどの）コネクタを受ける領域が形成される。
【００５０】
連結システムの特定の実施形態を示してきたが、本発明の１つまたは複数の実施形態によれば、コネクタのヒンジ式コネクタ係合部に結合される対合形状を使用して、任意の数の構造体を連結できることを理解されたい。本発明の少なくとも１つの実施形態では、２つの対合部（凹部に対合する突出部）、および各図に示したアーチ形状のコネクタなどのヒンジ式コネクタを含む、任意の連結構造体が企図される。本明細書では具体的な例として携帯電話ケースが与えられているが、少なくとも１つの実施形態として、連結システムは、任意の数の物品を連結するために使用され得ることを理解されたい。１つまたは複数の実施形態では、これには、限定はされないがカメラ、外部バッテリ、札入れ、名刺ホルダ、携帯型電子装置などが含まれ得る。少なくとも１つの実施形態として、これらの物品は車両、ヘルメット、または他のアクセサリに連結されてもよく、（外部バッテリ・パックに連結可能な電話ケースなど）連結システムを使用して互いに連結するために使用されてもよい。少なくとも１つの実施形態では、電話または他の装置を車両または他の構造体に連結するために連結システムを使用する必要がない。１つまたは複数の実施形態では、連結システムを使用して、相互に作用する機能のために２つの要素を互いに連結させることもできる。たとえば、少なくとも１つの実施形態では、連結システムを使用した携帯電話ケースが、外部バッテリ、札入れ、名刺ホルダ、アームバンド、または他のアクセサリなどに連結してもよい。
【００５１】
１つまたは複数の実施形態として、対合連結構造体とヒンジ式コネクタの両方の形状は、本発明の範囲から外れることなく変化させることができるのを理解されたい。さらに、１つまたは複数の実施形態では、２つの要素間の連結は、対合連結構造体のみによって、またはヒンジ式コネクタのみによってなされてもよいことを理解されたい。
【００５２】
１つまたは複数の実施形態では、フリップ・アウト・コネクタは、連結システムを備えたケースの内部に保持されている携帯電話などの装置を支えるスタンドとして使用されてもよい。少なくとも１つの実施形態では、フリップ・アウト・コネクタは、ケースの本体にヒンジ連結され得る。少なくとも１つの実施形態では、ヒンジ式連結部は十分な量の摩擦を有することができ、それにより、フリップ・アウト・コネクタを延在させることができ、携帯電話またはケースの他の装置の重量の力などの力に逆らって、フリップ・アウト・コネクタがそれ自体を定位置に保持することができる。
【００５３】
図１には、携帯電話用の連結システムの例示的な一実施形態が示してある。マウント１０１は、携帯電話を保持するか、または携帯電話に結合されるように構成することができる。たとえば、マウント１０１は、携帯電話ケースと一体化されても携帯電話ケースを形成してもよく、複数の要素がケースに組み込まれて、別の物品との連結を可能にする。１つまたは複数の実施形態は、携帯電話用の図１に示したシステムと同様の連結システムを使用して、任意の物品を別の物品に連結するのを可能にすることができる。連結システムは、図１のマウント１０１などのマウントを適合する連結構成要素を有する種々の物品に結合できるという点でモジュールでもよい。
【００５４】
図１には後部からの携帯電話マウント１０１の図が示されており、マウント１０１に設置される電話の画面は前側から見ることができる。マウント１０１の後部側は、たとえば自転車、オートバイ、車両、壁、計数器、家具一点、電気器具、衣料品一点、アクセサリ、カメラ、カメラ・アクセサリ、札入れ、小銭入れ、バックパック、バッグ、スーツケース、ブリーフケース、コンピュータ、または充電システムを含むがこれらに限定はされない他の物品に取り付けられ得る適合する構成要素との連結を助けるフィーチャを含む。
【００５５】
図１には、例示的な電話マウント１０１に一体化された３つの連結フィーチャが示してある。１つまたは複数の実施形態は、これらのフィーチャのサブセットのみを含んでもよい。１つまたは複数の磁気結合要素１０２が、電話マウント１０１の１つまたは複数の部分に一体化または結合されている。これらの磁気要素は、たとえば任意の鉄材料または強磁性材料を含むことができる。１つまたは複数の磁気フィーチャ１０２は、図９〜図２２に関して以下に述べるような、他の物品上の対応するマウントの対合用磁気フィーチャと結合するように構成することができる。磁気フィーチャは、たとえば永久磁石である場合もあり、磁石に引き付けられる材料である場合もある。磁石は、第２のマウントの対応するフィーチャに引力を与える１つまたは複数の任意の極性のものでもよい。
【００５６】
マウント１０１の第２の連結フィーチャは、マウントの後面のＸ形状の凹み１０３である。この凹み１０３は、凹み１０３に嵌合する対応する突出部を備えた、対合するＸ形状の部分と結合するように構成される。１つまたは複数の実施形態では、突出要素がマウント１０１に存在し、対応する凹みが対合する構成要素に存在する場合もある。１つまたは複数の実施形態では、マウント１０１は、別の構成要素の相補的な要素と対合する、突出部と凹みの組合せを有する場合もある。凹み１０３と対合用構成要素の対応する突出部との間の機械的結合により、マウント１０１とその受け具との間の連結部が形成される。１つまたは複数の実施形態では、連結部は、要素間の摩擦結合を可能にする圧入部でもよい。１つまたは複数の実施形態では、磁気フィーチャ１０２の一部または全部が凹み１０３と一体化される場合もある。たとえば、凹み１０３の側部または底部が磁性であり、対合用構成要素の対応する突出部が１つまたは複数の逆の極性で磁化されていてもよい。
【００５７】
凹み１０３のＸ形状により、連結システムにいくつかの利益がもたらされる。凹み１０３が対合用構成要素の対応するＸ形状の突出部に連結されると、マウント１０１は自由に回転することができない。加えて、結合部がＸ形状であることにより、結合部はあらゆる方向のせん断力に抵抗する。最後に、フィーチャ１０３のＸ形状により、電話マウント１０１を、結合される前に対合用構成要素に対して９０度、１８０度、または２７０度回転させることが可能になり、これにより、たとえばランドスケープ・モードまたはポートレート・モードで電話を見ることが可能になる。使用者は、電話マウントをある配向で受け具に結合し、次いで電話マウントを取り外し、９０度の任意の倍数だけ電話マウントを回転させ、電話マウントを受け具に再び取り付けることができる。
【００５８】
フィーチャ１０３のＸ形状は例示的なものであり、１つまたは複数の実施形態は、回転およびせん断力に対する抵抗を与える、機械的結合要素の様々な幾何形状を使用することができる。たとえば、１つまたは複数の実施形態では、Ｘ形状のフィーチャ１０３はＸではなく正方形でもよい。正方形の形状も回転およびせん断に抵抗し、９０度の任意の倍数でマウント配向を回転することを可能にする。より一般的には、１つまたは複数の実施形態は、回転には抵抗するが電話マウントのその対合用構成要素に対する任意の所望の角度位置は可能にする、任意の正多角形によって境界を定められたフィーチャを組み込むことができる。たとえば、八角形に形状設定されたフィーチャにより、対応する受け具にこのフィーチャを取り付ける前に、４５度の任意の倍数だけ電話マウントを回転させることが可能になる。
【００５９】
マウント１０１の第３の連結フィーチャは、Ｃ形状または円弧形状の１対のフックまたはクランプ１０４である。これらのフック１０４は、たとえば、受け具の対応するフィーチャに嵌合およびラッチして、追加の機械的結合部を提供するように構成され得る。この機械的結合部は、たとえばマウント１０１の後面の平面に対して垂直な方向の運動に抵抗することができ、Ｘ形状のフィーチャ１０３は、この平面に沿った運動に抵抗することができる。図１に示した実施形態では、フック１０４は、フック１０４がケースの後部に対して平坦に折り畳まれることを可能にし、または図１に示されているようにケースの後部に対して垂直に延在することを可能にするヒンジを用いて、マウント１０１に連結されている。マウント１０１の後部は、折り畳まれたときにフック１０４が嵌合する凹みを含むことができ、したがって、フックが出されていないとき、電話ケースの後部は平坦になる。フック１０４は、その外向きに折られた位置でもラッチして、電話ケース１０１のスタンドとして機能することができる。
【００６０】
図２には、マウントのすぐ後部から見たマウント１０１の図が示してある。強磁性要素１０２は、たとえば、Ｃフック１０４を保持する凹みの内側に位置付けられてもよい。図２には、１つまたは複数の実施形態において、電話マウント１０１が１つまたは複数の誘導充電コイル９３０を含む場合があることも示されている。たとえば、マウントが、対合する誘導充電要素を介して電磁誘導で電力を供給する構成要素に結合されているとき、１つまたは複数のコイル９３０により、マウント１０１に設置された電話に電力を伝達することができる。対合する充電要素は、たとえばマウント１０１に結合するバッテリでもよく、マウント１０１と対合する連結部を備えた充電ステーションでもよく、電力伝達機能を含む受け具でもよい。
【００６１】
図１および図２では、フック１０４はその延出位置で示されている。図３には、マウント１０１の図２と同じ背面図が示されているが、フック１０４は対応する凹みへと戻るように折り畳まれており、したがって、フック１０４はマウントの後部に平坦に置かれている。
【００６２】
図４には、マウント１０１の正面図が示してある。連結フィーチャはすべてマウントの後部に結合されているので、この図に見て取ることはできない。
【００６３】
図５および図６には、フック１０４がその延出位置にある状態の、マウント１０１の側面図が示してある。
【００６４】
図７には、フック１０４がその延出位置にある状態の、マウント１０１の上面図が示してある。
【００６５】
図８には、たとえば車の通風口に嵌合する延在脚部８２０を備えた通風口マウントが示してある。リングは点８１０よりも８１１において幅広であり、したがって、通風口マウント・インデント８１９は、通風口マウント・インデント８１９がより幅広の部分８１１を移動するときは脚部８２０を屈曲させ、８１０の潜在的窪み（ｐｏｔｅｎｔｉａｌ  ｗｅｌｌ）へと動いてリングを定位置にロックする。
【００６６】
１つまたは複数の実施形態では、携帯電話用のマウント１０１などの物品が取り付けられるマウントは、別の物品に結合するかまたは別の物品を保持する対応する受け具に連結する。受け具は、物品マウント１０１と別の物品、表面、またはシステムとの間を結びつける第２のマウントになる。受け具のフィーチャは、物品用マウントのフィーチャに対応する。受け具は、任意の物品に結合するかまたはそれを保持することができ、携帯電話などの物品を任意の他の物品に取り付けることを可能にする。図９〜図１４にはＧｏ−Ｐｒｏ（登録商標）または同様のカメラに結合する受け具が示してあり、図１５〜図２２には自転車またはオートバイのハンドルに結合する受け具が示してある。これらの受け具は例示的なものであり、１つまたは複数の実施形態は、任意の他の物品に結合するかまたはそれを保持し、かつ携帯電話または他の物品を受け具に取り付けることを可能にする受け具を含むか、またはこうした受け具と結びついて機能することができる。
【００６７】
図９には、アクション・カメラ、たとえばＧｏ−Ｐｒｏ（登録商標）、または同様のカメラ・システムに結合する受け具９０１の例示的な実施形態が示してある。Ｘ形状の突出部９０３が、携帯電話ケース、または同様の物品マウントの対応するＸ形状の凹み１０３に嵌合して、（携帯電話ケース１０１などの）第１のマウントと第２のマウント（受け具）９０１との間の機械的結合部を形成する。第２の強磁性結合要素９０２により、物品マウント１０１の１つまたは複数の対応する強磁性フィーチャ１０２に磁気引力が与えられる。１つまたは複数の強磁性要素９０２は、たとえば永久磁石である場合もあり、対応する磁石または材料１０２に引き付けられる材料である場合もある。要素９０２および要素１０２の磁気極性はこれら２つの要素の間に引力をもたらすように構成することができ、たとえば、取り付けられるときに互いに接触するかまたは近位になる要素は、逆の極性の磁石になり得る。第２の強磁性結合要素９０２は第２の機械的結合要素９０３に、またはその中に存在してもよく、第２の機械的結合要素９０３の隣に存在してもよい。１つまたは複数の実施形態では、コイル９３１が、ここでは基部要素上に示されているがマウントのどこかに存在してもよく、マウントに結合された別の装置を電磁誘導で充電するために利用され得る。フック受け具９０４は、マウント１０１の対応するフック１０４に結合して、受け具９０１の第４の機械的結合要素を形成する。第４の機械的結合要素９０４はこの実施形態の４つの面に示されており（図９では３つの面のみが見えている）、したがって、第３の機械的結合要素１０４は様々な配向で第４の機械的結合要素９０４へと折れ、嵌まることができる。２つのフック１０４は、対向するフック受け具９０４のいずれかのペアに取り付けられ得る。これにより、マウント９０１を固定的な配向にすることが可能になり、電話ケース１０１を９０度単位で回転させ、マウント９０１に取り付けることができる。
【００６８】
図１０〜図１４には、マウント９０１の様々な図が示してある。図１０は上面図であり、図１１は下面図である。図１２は前方側面図であり、図１３は図１２の図から９０度回転された右側面図である。図１４は、図１３の図から４５度回転された別の側面図である。図１２および図１３では、４つのフック受け具９０４のうちの３つが見えている。図１４では、４つのフック受け具９０４のうちの２つが見えている。これら４つのフック受け具は同一の形状または同様の形状を有して、対向するフック受け具の任意のペアにフック１０４を取り付けることを可能にする。図１２、図１３、および図１４に示されている要素９２１はＧｏ−Ｐｒｏ（登録商標）または同様のアクション・カメラ・システムへの結合部を提供し、１つまたは複数の実施形態では、この要素は任意の他の物品またはシステムへの取付けを可能にするように修正されてもよい。
【００６９】
図１５〜図２２には、たとえば自転車のハンドルまたはオートバイのハンドルにマウントする受け具１７０１の例示的な一実施形態が示してある。この受け具１７０１は、Ｇｏ−Ｐｒｏ（登録商標）システムに関して上に示した受け具９０１と同様のフィーチャを有して、携帯電話マウント１０１、または任意の他の物品用の同様のマウントとの結合を可能にする。
【００７０】
図１５には自転車のハンドル１５０１ａに結合された受け具１７０１が示してあり、携帯電話マウント１０１が受け具１７０１に結合されている。図１６にはオートバイのハンドル１５０１ｂに結合された受け具１７０１が示してあり、携帯電話マウント１０１が受け具１７０１に取り付けられている。
【００７１】
図１７には、受け具１７０１の結合要素が示してある。強磁性要素９０２ａにより、マウント１０１の対応する要素１０２との磁気結合が可能になる。Ｘ形状の突出部９０３ａはマウント１０１の対応するＸ形状の凹み１０３に嵌合して、回転およびせん断力に抵抗する機械的結合部を形成する。フック受け具９０４ａはＣ形状のフック１０４に結合して、マウント１７０１の面に対して垂直な運動に抵抗する機械的結合部を形成する。（フック受け具９０４ａはマウント１７０１の両側に存在するが、図１７で見えているのは１つだけである。）クランプ１７０２ａおよび１７０２ｂにより、ハンドルへの取付けが可能になる。
【００７２】
図１８〜図２２には、自転車マウント受け具１７０１の様々な図が示してある。図１８には、マウント１７０１の両側の２つのフック受け具９０４ａのプロファイル図を示す左側面図が示してある。Ｇｏ−Ｐｒｏ（登録商標）マウント９０１とは対照的に、マウント１７０１は、マウント１７０１が取り付けられるハンドルのための空間を与えるために、２つだけのフック受け具を有する。図１９には正面図が示してあり、図２０には上面図が示してあり、図２１には下面図が示してある。図２２には、ハンドル・クランプ１７０２ａおよび１７０２ｂが開いた状態のマウント１７０１の下面斜視図が示してある。
【００７３】
１つまたは複数の実施形態では、電話マウント１０１は、人が着用または携帯する物品に取り付けられるかまたは一体化される受け具に結合されてもよい。図２３には、アームバンド２３０２と一体化された受け具２３０１を備えた例示的な一実施形態が示してある。受け具２３０１はＸ形状の突出部９０３ｂおよび強磁性要素９０２ｂを有し、これらは、Ｘ形状の凹み１０２および強磁性要素１０２にそれぞれ結合する。この例示的な実施形態では、アームバンド２３０２を背にした受け具２３０１の平坦なプロファイルを実現するために、Ｃフック１０４を取り付ける要素は提供されない。しかし、要素９０２ｂおよび９０３ｂにより、電話マウント１０１と受け具２３０１との磁気的結合および機械的結合が可能になる。
【００７４】
１つまたは複数の実施形態では、バンパー、または他の衝撃吸収要素もしくは保護要素が物品マウントと一体化されるかまたは取り付けられてもよい。図２４には、たとえばマウント１０１などの携帯電話マウントに一体化するかまたは取り付けることができるバンパー２４０１の例示的な実施形態が示してある。バンパーは、たとえば力吸収材料または衝撃吸収材料で作成されて、マウント１０１に設置されまたは取り付けられる電話または他の物品を保護することができる。バンパーは、マウントが水中にあるときにマウントが沈まないようにするために、浮くように構成することができる。
【００７５】
１つまたは複数の実施形態では、バンパー２４０１は、コンパートメント２４０２などの１つまたは複数の収納コンパートメントを含むことができる。このコンパートメントは、たとえば、ペン、鉛筆、またはスタイラスなどの物品のための収納領域を提供する形状およびサイズを有することができる。コンパートメントは、たとえば、限定はされないが、薬、錠剤、鍵、口紅、爪切り、爪やすり、化粧品、爪楊枝、ナイフ、ねじ回し、栓抜き、コルク栓抜き、タバコ、電子タバコ、文書、またはメディカル・アラート・ブレスレットなどの１つまたは複数の任意の他の物品を保持するように構成されてもよい。
【００７６】
１つまたは複数の実施形態では、バンパー２４０１は制御装置を含んで、マウント１０１に設置または取り付けられた装置の機能を制御することができる。たとえば、マウント１０１が携帯電話を保持するように構成されているとき、バンパー２４０１の制御装置は、音量、トラック、サムズ・アップ、サムズ・ダウン、ディスプレイ輝度、電源オン、および電源オフのための制御装置のいずれかまたはすべてを含むことができる。１つまたは複数の実施形態では、バンパー２４０１は、光源２４０２、またはスタイラスなどのアイテムを収納するためのコンパートメント２４０３を含んでもよい。充電穴またはスピーカ穴２０１０も、バンパーの任意の部分に存在してもよい。
【００７７】
１つまたは複数の実施形態では、受け具は、たとえば受け具の後面の接着剤によって任意の物品の任意の表面に取り付けられるように構成されてもよい。図２５には、接着材料２５０２と結合された受け具２５０１の例示的な一実施形態が示してある。受け具２５０１はＸ形状の突出部９０３ｃおよび強磁性要素９０２ｃを有し、これらは、Ｘ形状の凹み１０２および強磁性要素１０２にそれぞれ結合する。図２６には受け具２５０１の側面図が示してあり、後面２５０２は、たとえば、剥離する保護シートによって被覆された接着剤層を有することができる。１つまたは複数の実施形態では、後面は、接着剤に加えて、または接着剤の代わりに、限定はされないがたとえば吸着カップ、フック、磁石、クランプ、またはスタッドなどの、他の物品への取付けを助ける他の要素を有してもよい。１つまたは複数の実施形態では、受け具２５０１は、ねじ、ボルト、または釘を使用して受け具を物品に取り付けることを可能にする貫通穴を有してもよい。
【００７８】
１つまたは複数の実施形態はモジュラ連結システムを可能にすることができ、モジュラ連結システムを用いると、複数の構成要素を互いにデイジー・チェーン連結することにより、それらを直列に取り付けることが可能になる。図２７には、互いにデイジー・チェーン連結され得る３つの構成要素を備えた例示的な一実施形態が示してある。この構成は例示的なものであり、１つまたは複数の実施形態では、同様のアーキテクチャを使用して、任意の数の構成要素が互いに取り付けられてもよい。図２７の実施形態において直列に結合され得る３つの構成要素は、電話ケース、バッテリ、および受け具である。電話ケースは、たとえば図１のマウント１０１でもよく、電話用または他の物品用の同様のマウントでもよい。バッテリは電話ケースに結合されて、上述のコイル９３０および９３１と同様のコイルを介して電話の誘導充電を可能にすることができる。受け具は、上述のように自転車、Ｇｏ−Ｐｒｏ（登録商標）または別の物品に取り付けられる受け具でもよい。
【００７９】
要素１０１ｄ、２７０１ｄ、および９０１ｄは、電話マウント、バッテリ、および受け具のプロファイルのそれぞれの概念図である。これらの図には、デイジー・チェーン連結を助けるモジュラ・アーキテクチャが示してあり、構成要素の積層の上部要素は凹みまたは他のフィーチャ２７１０ａを有し、これは、積層内の次の要素の対応する突出部または他の対応するフィーチャ２７１１ａに結合する。図２７のバッテリなど、任意の中間要素は、すぐ上の要素に結合する突出部２７１１ａとすぐ下の要素に結合する凹み２７１０ｂの両方を有する。突出部および対応する凹みに加えて、またはこれらの代わりに、結合は、適合する磁気要素によって実施されてもよく、対合する他の機械的構成要素によって実施されてもよい。受け具９０１ｄなど、積層内の底部要素は、（図２７ではバッテリ２７０１ｄである）その上の要素に結合する突出部２７１１ｂを有する。積層内のすべての要素が積層内のその上および下の要素に結合する適合するフィーチャを有する限り、このアーキテクチャが任意のタイプの任意の数の構成要素に適用され得ることは明らかである。
【００８０】
図２７は、電話マウント、バッテリ、および受け具の正面図および背面図を示し、説明を簡単にするためにここではＸ形状の突出部および凹みだけに焦点を当てている。磁気結合要素などの他のフィーチャも、これらの構成要素の前面または後面に存在する場合がある。電話マウントの前面１０１ｅは積層の上部であり、したがって、電話マウントの前面１０１ｅはいかなる結合要素も必要としない。電話マウントの後面１０１ｆはＸ形状の凹みを有し、これは、バッテリ２７０１ｅの前面のＸ形状の突出部に結合する。バッテリの後面２７０１ｆはＸ形状の凹みを有し、これは、受け具の前面９０１ｅの対応するＸ形状の突出部に結合する。受け具の後面９０１ｆは積層の底部であり、したがって、受け具の後面９０１ｆは他の構成要素への結合フィーチャを必要としない。しかし、後面９０１ｆは、上に示した自転車ハンドル結合部およびＧｏ−Ｐｒｏ（登録商標）結合部など、他の物品に結合するフィーチャを有する場合もある。
【００８１】
特定の実施形態およびその応用例を用いて本明細書に開示される本発明を説明してきたが、特許請求の範囲に述べられる本発明の範囲から逸脱しない限り、当業者によって多くの修正および変更がそこに加えられてもよい。
【図１】
2020537469.tif 000003
【図２】
2020537469.tif 000004
【図３】
2020537469.tif 000005
【図４】
2020537469.tif 000006
【図５】
2020537469.tif 000007
【図６】
2020537469.tif 000008
【図７】
2020537469.tif 000009
【図８】
2020537469.tif 000010
【図９】
2020537469.tif 000011
【図１０】
2020537469.tif 000012
【図１１】
2020537469.tif 000013
【図１２】
2020537469.tif 000014
【図１３】
2020537469.tif 000015
【図１４】
2020537469.tif 000016
【図１５】
2020537469.tif 000017
【図１６】
2020537469.tif 000018
【図１７】
2020537469.tif 000019
【図１８】
2020537469.tif 000020
【図１９】
2020537469.tif 000021
【図２０】
2020537469.tif 000022
【図２１】
2020537469.tif 000023
【図２２】
2020537469.tif 000024
【図２３】
2020537469.tif 000025
【図２４】
2020537469.tif 000026
【図２５】
2020537469.tif 000027
【図２６】
2020537469.tif 000028
【図２７】
2020537469.tif 000029
【国際調査報告】
2020537469.tif 000030